(57)【要約】【課題】小型化を達成して、かつメリハリのある良好な操作感を得るとともに耐久性に優れた回転操作入力装置を提供する。【解決手段】回転操作入力装置は、回転操作部材５の回転軸に対して同心円状に設けられ、回転操作部材の回転とともに回転する被検出部５ｅと、被検出部を検出して回転操作部材の位相を検出する検出部８ａとを有している。被検出部は回転操作部材の外縁に沿って所定の間隔で設けられ、回転操作部材の外縁には連続的にクリック感を発生させるための凹凸部が形成されており、凹凸部の凹部５ｇは、被検出部の間に位置し、凹凸部の凸部５ｈは被検出部と前記回転軸とを結んだ直線上に位置し、かつ凹凸部を挟んで被検出部と反対側には凹凸部を付勢する弾性部材１４が配置されている。【選択図】図５
2020113403.tif 000002
【特許請求の範囲】
【請求項１】
回転操作部材の操作に応じた設定を行う回転操作入力装置であって、
前記回転操作部材の回転軸に対して同心円状に設けられ、前記回転操作部材の回転とともに回転する被検出部と、
前記被検出部を検出して前記回転操作部材の位相を検出する検出部と、を有し
前記被検出部は前記回転操作部材の外縁に沿って所定の間隔で設けられ、
前記回転操作部材の外縁には連続的にクリック感を発生させるための凹凸部が形成されており、
前記凹凸部の凹部は、前記被検出部の間に位置し、
前記凹凸部の凸部は前記被検出部と前記回転軸とを結んだ直線上に位置し、かつ前記凹凸部を挟んで前記被検出部と反対側には前記凹凸部を付勢する付勢手段が配置されていることを特徴とする回転操作入力装置。
【請求項２】
前記凹部の頂点を結んだ円の直径は前記被検出部を結んだ円の直径より大きいことを特徴とする請求項１に記載の回転操作入力装置。
【請求項３】
前記凹部および前記凸部の数は前記被検出部の数と同数であることを特徴とする請求項１又は２に記載の回転操作入力装置。
【請求項４】
前記付勢手段は円弧形状の弾性部材であり、
前記弾性部材の両端部には前記凹凸部に当接する湾曲部が形成されていることを特徴とする請求項１乃至３のいずか１項に記載の回転操作入力装置。
【請求項５】
前記湾曲部はＵ字形状であることを特徴とする請求項４に記載の回転操作入力装置。
【請求項６】
前記回転操作部材を回転自在に支持する支持部材と、
前記支持部材が固定された取り付け部材と、
前記取り付け部材に配置され、前記検出部が設けられたフレキシブル基板と、を有することを特徴とする請求項１乃至５のいずれか１項に記載の回転操作入力装置。
【請求項７】
前記回転操作部材は前記支持部材に揺動可能に支持されていることを特徴とする請求項６に記載の回転操作入力装置。
【請求項８】
前記付勢手段は前記回転操作部材と前記支持部材との間に規定された空間に配置されており、
前記空間は前記付勢手段である弾性部材の厚みよりも大きいことを特徴とする請求項６又は７に記載の回転操作入力装置。
【請求項９】
前記回転操作部材には、前記空間を前記弾性部材の厚みよりも大きくするためのリブが設けられていることを特徴とする請求項８に記載の回転操作入力装置。
【請求項１０】
請求項１乃至９のいずれか１項に記載の回転操作入力装置と、
前記回転操作入力装置による設定に応じた制御を行う制御手段と、を有することを特徴とする電子機器。
【発明の詳細な説明】
【技術分野】
【０００１】
本発明は、回転操作入力装置および電子機器に関し、特に、撮像装置などの電子機器で用いられる回転操作入力装置に関する。
【背景技術】
【０００２】
一般に、電子機器の１つであるデジタルカメラなどの撮像装置では、筐体の背面側（つまり、撮影者側）において略平面部に撮影者が連続的に入力操作可能な回転操作入力装置（回転操作ダイヤル装置）が配置されている。
【０００３】
一方、近年撮像装置においては撮像装置本体に対する小型化の要望があり、さらには、視認性向上のため撮像装置の背面側に設けられたＬＣＤなどの表示装置における画面に対する大型化の要望がある。
【０００４】
このため、回転操作ダイヤル装置に備えられた回転操作ダイヤルを適切にレイアウトするとともに、特に回転操作ダイヤルの外径を小型化することが求められている。さらには、回転操作ダイヤル装置の長年使用に対する信頼性を高めることが求められている。
【０００５】
上述のような要望に対処するため、例えば、回転操作ダイヤルの回転を検出する検出部としてフォトインタラプタを用いた回転操作ダイヤル装置が知られている（特許文献１）。そして、特許文献１においては、フォトインタラプタを回転操作ダイヤルの外周縁側に配置し、回転操作力（クリック力）を生成するバネ部材およびクリック溝を回転中心軸側に配置するようにしている。これによって、特許文献１においては、フォトインタラプタおよびバネ部材などを互いに厚み方向において干渉しない位置関係に配置することによって回転操作ダイヤル装置を小型化するようにしている。
【先行技術文献】
【特許文献】
【０００６】
【特許文献１】特開２０１７−９１６１１号公報
【発明の概要】
【発明が解決しようとする課題】
【０００７】
しかしながら、上述の特許文献１においては、回転操作ダイヤルにクリック力を与えるクリック機構において、回転操作ダイヤルの裏面の軸部外周面と対向する位置にバネ部材を配設している。そして、回転操作ダイヤルに設けられた軸受け部外周面に、回転操作ダイヤルの回転に応じてバネ部材が振幅移動する凹凸面を形成してクリック力を発生させるようにしている。
【０００８】
このため、回転操作ダイヤルの外径サイズを維持しつつクリック数、つまり、凹凸面の数を増加させた場合には、凹凸面における凹部および凸部が円周方向で接近することになってバネ部材が振幅する凹凸部の段差（高低差）が減少してしまう。この結果、撮影者はメリハリのある良好な操作感（クリック感）を得ることが難しい。
【０００９】
さらに、特許文献１においては、操作力を生成するバネ部材が回転操作ダイヤルの外周縁側に設けられたフォトインタラプタと軸部外周面に設けられた凹凸面との間にレイアウトされている。このため、回転操作ダイヤルの外径を小さくした場合には、フォトインタラプタもその分軸中心側にずらす必要がある。これによって、バネ部材の振幅可能領域が減少してしまい回転操作力を増加させることが困難となる。
【００１０】
その結果、例えば、操作力が軽いなどの操作品位の低下を招くばかりでなく、撮影者が回転操作ダイヤルを不用意に触れた際に誤操作が発生しやすくなってしまう。つまり、高い操作品位および誤操作防止などの観点から回転操作力をある程度高くする必要性があるものの、特許文献１においては、回転操作ダイヤル装置において小型化と高品位な操作力を両立させることが難しいという課題がある。
【００１１】
そこで、本発明の目的は、小型化を達成しつつ、メリハリのある良好な操作感を得るとともに耐久性に優れた回転操作入力装置および電子機器を提供することにある。
【課題を解決するための手段】
【００１２】
上記の目的を達成するため、本発明による回転操作入力装置は、回転操作部材の操作に応じた設定を行う回転操作入力装置であって、前記回転操作部材の回転軸に対して同心円状に設けられ、前記回転操作部材の回転とともに回転する被検出部と、前記被検出部を検出して前記回転操作部材の位相を検出する検出部と、を有し、前記被検出部は前記回転操作部材の外縁に沿って所定の間隔で設けられ、前記回転操作部材の外縁には連続的にクリック感を発生させるための凹凸部が形成されており、前記凹凸部の凹部は、前記被検出部の間に位置し、前記凹凸部の凸部は前記被検出部と前記回転軸とを結んだ直線上に位置し、かつ前記凹凸部を挟んで前記被検出部と反対側には前記凹凸部を付勢する付勢手段が配置されていることを特徴とする。
【発明の効果】
【００１３】
本発明によれば、小型化を達成して、かつメリハリのある良好な操作感を得るとともに耐久性を向上させることができる。
【図面の簡単な説明】
【００１４】
【図１】本発明の実施の形態による回転操作入力装置を備える電子機器を背面側から示す斜視図である。
【図２】図１に示す回転操作ダイヤル装置を説明するための図である。
【図３】図１に示す回転操作ダイヤルの組み立てを説明するための図である。
【図４】図１に示す回転操作ダイヤルの動作を説明するための図である。
【図５】図１に示す回転操作ダイヤル５の回転クリックについて説明するための図である。
【発明を実施するための形態】
【００１５】
以下に、本発明の実施の形態による回転操作入力装置の一例について図面を参照して説明する。
【００１６】
図１は、本発明の実施の形態による回転操作入力装置を備える電子機器を背面側から示す斜視図である。なお、図示の電子機器は、例えば、デジタルカメラ（以下単にカメラと呼ぶ）などの撮像装置である。なお、ここでは、電子機器として、撮像装置を例に挙げて説明するが、電子機器は撮像装置に限定されない。
【００１７】
カメラ１には、正面側（被写体側）にレンズ鏡筒２が備えられ、レンズ鏡筒２を介して光学像が撮像素子（図示せず）に結像する。そして、撮像素子は光学像に応じた画像を出力する。制御部（図示せず）は当該画像を、カメラ１の背面側に配置されたＬＣＤなどの表示装置３に表示する。
【００１８】
カメラ１の背面側から見て、表示装置３の右側には回転操作入力装置（以下回転操作ダイヤル装置）４に備えられた回転操作ダイヤル（回転操作部材）５が配置されている。回転操作ダイヤル５には、例えば、マニュアルフォーカスおよびホワイトバランスなどの連続的な入力操作が求められる撮影設定条件に応じた回転操作が割り当てられる。さらに、回転操作ダイヤル５には、複数方向の揺動操作および回転操作の複合操作として、ストロボ発光のオン／オフ／オートなどのトグル操作などの押し釦操作が割り当てられる。
【００１９】
図２は、図１に示す回転操作ダイヤル装置を説明するための図である。
【００２０】
回転操作ダイヤル装置４に備えられた回転操作ダイヤル５は回転可能にかつ上下左右の部分を押下された場合に釦操作可能に支持されている。表示板６には上下左右方向の釦機能を示すアイコンが９０度間隔で、表示６Ａ、６Ｂ、６Ｃ、および６Ｄとして表記されている。そして、表示板６は回転動作しないが、回転操作ダイヤル５が揺動した際に追従できるように揺動可能に支持されている。
【００２１】
センター釦７は後述する表示板６の揺動しない部分（非搖動部）に回転不能に支持されている。つまり、回転操作ダイヤル装置４は外観上３つの部材で構成されており、回転する部材は回転操作ダイヤル５のみで、回転操作ダイヤル５を上下左右の方向に押圧操作した場合には、回転操作ダイヤル５と追従して表示板６が揺動する。さらに、センター釦７は独立して動作し、回転操作ダイヤル５の回転又は揺動の際においても連動せず、押下操作された時のみ可動して釦として機能する。
【００２２】
なお、センター釦７は設定画面を表示し、さらに、各種設定を確定する際に用いられる。
【００２３】
図示の例では、回転操作ダイヤル５にはカメラ１を用いて撮影を行う際の機能が割り当てられている。例えば、表示６Ａには露出補正が割り当てられ、表示６Ｂにはストロボにおけるオート発光、強制発光、および発光禁止が割り当てられている。また、表示６Ｃにはオートフォーカスおいて通常、遠方、およびマクロが割り当てられ、表示６Ｄにはセルフタイマー時間においてセルフタイマー１０秒およびセルフタイマー２秒が割り当てられている。これら表示６Ａ〜６Ｄのいずれかを選択する際には、回転操作ダイヤル５を回転させて表示６Ａ〜６Ｄを切り替えて、センター釦７の押下によって選択を確定する。
【００２４】
また、センター釦７が押下げられると、例えば、露出補正、測光分布、ホワイトバランス、記録画素数、および圧縮率などを選択することができる。個々の階層機能選択手法として、回転操作ダイヤル５を回転させて選択を行い、センター釦７を押下操作することによって選択が決定される。さらには、画像再生の際には複数の画像から１つの画像を選択、そして確定して、回転操作ダイヤル５を回転させることによって画像の拡大又は縮小などを行うことができる。
【００２５】
図３は、図１に示す回転操作ダイヤルの組み立てを説明するための図である。そして、図３（Ａ）は図１に示すカメラにおいて回転操作ダイヤルを背面側から分解して示す斜視図であり、図３（Ｂ）は回転操作ダイヤルを正面側から分解して示す斜視図である。
【００２６】
また、図４は、図１に示す回転操作ダイヤルの動作を説明するための図である。そして、図４（Ａ）は回転操作ダイヤル装置を示す図であり、図４（Ｂ）は図４（Ａ）に示すＡ−Ａ線に沿った断面図である。
【００２７】
図３および図４を参照して、回転操作ダイヤル５の回転を検出するための透過型光センサとして、一対のフォトインタラプタ（検出部）８ａがフレキシブル基板８に実装されている。図示の例では、フォトインタラプタ８ａは回転操作ダイヤル５の外周縁近傍（外縁近傍）に配置されている。これによって、後述するように、フォトインタラプタ８ａの検出精度に対する遮光羽（被検出部）５ｅの幅又はフォトインタラプタ８ａおよび遮光羽５ｅの位置などの寸法精度の影響が受けにくくなる。
【００２８】
フレキシブル基板８において、フォトインタラプタ８ａの実装面側には、センター釦７、前述の上下左右方向の釦、さらにその他の押圧釦に対応する複数のメタルドームスイッチ８ｂが一体に保持されている。そして、フレキシブル基板８はベースとなるプレート（取り付け部材）９に両面テープ１０によって固定されている。フレキシブル基板８をプレート９に固定した構成をプレートユニット５０と呼ぶ。
【００２９】
ホルダー部材６０は回転操作ダイヤル５を回転可能（回転自在）に、かつ複数方向に揺動可能に保持する。そして、ホルダー部材６０は、内側環状部であるバネ保持部材（支持部材）１１と外側環状部である揺動部材１２とを有している。搖動部材１２はバネ保持部材１１よりも外周側に位置する。
【００３０】
バネ部材（弾性部材：付勢手段）１４は弓なりに湾曲した円弧形状１４ｂを有し、その両端部にはＵ字形状の湾曲部１４ａが形成されている。そして、Ｕ字形状の内壁側がバネ保持部材１１に設けられた２か所のバネ保持部１１ａの外周面と係合してバネ部材１４がバネ保持部材１１に保持される。さらに、バネ部材１４の脱落を防止するため、そして、バネ部材１４の初期状態を安定させるためのプリチャージ力を発生させるようにバネ保持部材１１には２か所の脱落防止部１１ｂが設けられている。
【００３１】
上述の状態において、バネ保持部材１１に設けられた複数のピン形状の加締め部１１ｃをプレート９に形成された穴９ａに位置決めして、プレート９の裏面側に突出した加締め部１１ｃを加締してバネ保持部材１１をプレート９に固定する。
【００３２】
同様に、揺動部材１２においても、揺動部材１２に設けられた複数のピン形状の加締め部１２ａをプレート９に形成された穴９ｂに位置決めして、プレート９の裏面側に突出した加締め部１２ａを加締して搖動部材１２をプレート９に固定する。
【００３３】
図示の例では、バネ部材１４は複雑な曲げ形状を有しておらず、加工しやすく部品の寸法も安定しやすい。また、バネ部材１４はバネ保持部材１１に設けられた２か所のバネ保持部１１ａと係合しているのみであり、加締め溶着などの作業が不要であるので組立やすい。
【００３４】
続いて、ホルダー部材６０に回転操作ダイヤル５を組み立てる工程について説明する。
【００３５】
回転操作ダイヤル５に形成された軸５ａを、バネ保持部材１１に形成された嵌合穴１１ｄに挿入して、回転操作ダイヤル５はバネ保持部材１１に対して回転摺動可能となる。この際、バネ保持部材１１に保持された回転操作ダイヤル５の回転軸方向の嵌合長寸法は回転軸長よりも短い。これによって、回転操作ダイヤル５はバネ保持部材１１に対して回転可能となるととともに、若干傾くことが可能となって揺動することができる。
【００３６】
揺動部材１２において、回転操作ダイヤル５側の面には、回転操作ダイヤル５が回転する際に回転操作ダイヤル５に設けられた半円状のリブ５ｂと摺動部１２ｂとが円周方向において略等間隔で４か所に設けられている。さらに、揺動部材１２において、フレキシブル基板８側の面には、前述の複数のメタルドームスイッチ８ｂを押下するための複数の押し子部１２ｄが摺動部１２ｂの裏面において配置されている。また、環状部１２ｃが摺動部１２ｂおよび押し子部１２ｄを接続するようにして配置されており、当該環状部１２ｃは、摺動部１２ｂ又は押し子部１２ｄに対して比較的薄肉に形成されて弾性変形が可能となる。
【００３７】
次に、回転操作ダイヤル５に表示板６を組み立てる工程について説明する。
【００３８】
まず始めに、回転操作ダイヤル５に形成された段付きの開口部５ｃに表示板６を挿入する。この際、表示板６に設けられた複数のピン形状の加締め部６ａを、プレート９に形成された穴９ｃに位置決めするとともに、プレート９の裏面側に突出したピン形状を加締しめて表示板６をプレート９に固定する。そして、回転操作ダイヤル５に形成された半円状のリブ５ｄと表示板６に形成された受け面６ｂとが摺動可能となる。これによって、回転操作ダイヤル５の脱落を防止するようにしている。
【００３９】
さらに、表示板６には外観上側６ｆおよび固定部６ｄよりも細い腕部形状部６ｅが形成れており、当該腕部形状部６ｅによって表示板６にバネ性を備えさせてプレート９に連結する。これによって、表示板６がプレート９に加締め固定された状態においても、表示板６は回転操作ダイヤル５と一体的に上下方向に揺動可能になる。
【００４０】
このようにして、回転操作ダイヤル５はバネ保持部材１１に形成された穴を中心として回転可能でかつ揺動可能に保持される。さらに、回転操作ダイヤル５は上下左右に配置されたメタルドームスイッチ８ｂに対応した位置で押下操作が可能となる。
【００４１】
なお、回転操作ダイヤル５の揺動操作によって、バネ部材１４が引っ掛かるなどの不具合が生じないようにするため、回転操作ダイヤル５には半円状のリブ５ｆが設けられている。そして、バネ部材１４が当たる前にリブ５ｆがバネ保持部材１１に当たるようにしている。
【００４２】
このように、バネ部材１４は回転操作ダイヤル５とバネ保持部材１１との間に規定された空間に配置され、当該空間はバネ部材１４の厚みよりも大きい。
【００４３】
続いて、表示板６にセンター釦７を組み立てる工程ついて説明する。
【００４４】
表示板６に設けられた穴部６ｃにセンター釦７を挿入した後、センター釦７に形成された長角軸７ａを、表示板６に形成された長穴６ｇに位置決めして摺動可能に嵌合する。さらに、表示板６に形成された受け面６ｂの近傍に、センター釦７に形成された爪部７ｂをスナップフィットによって抜け止めする。これによってセンター釦７の押下操作が可能となる。
【００４５】
次に、回転操作ダイヤル５の回転の検出について説明する。
【００４６】
回転操作ダイヤル５には金属製の遮光羽５ｅがインサート成形により形成されており、遮光羽５ｅは回転操作ダイヤル５と一体的に回転および揺動する。つまり、回転操作ダイヤル５の回転軸に対して同心円状に遮光羽５ｅが設けられて、遮光羽５ｅは回転操作ダイヤル５の回転とともに回転する。
【００４７】
回転操作ダイヤル５を回転操作した際、フォトインタラプタ８ａに備えられた投光部と受光部とで送受される光が回転角度に応じて遮光および透過を繰り返すように遮光羽５ｅが均等な角度で配置されている。
【００４８】
遮光羽５ｅの数は、回転操作ダイヤル５の裏面側外周縁に沿って連続的に形成された凹部５ｇ又は凸部５ｈの数に対応しており、ここでは、遮光羽５ｅの数は１２である。つまり、遮光羽５ｅの数は凹部５ｇおよび凸部５ｈの数と同数である。
【００４９】
この結果、回転操作ダイヤル５を一回転操作した際には、クリック数および信号数はそれぞれ１２クリックおよび１２ポジションとなる。
【００５０】
さらに、フォトインタラプタ８ａは２つ配置されており、ここでは、２つのフォトインタラプタ８ａは遮光羽５ｅによる遮光および透過に応じて発生する２つのパルス波形が常に半位相ずれるような関係に配置される。これによって、回転操作ダイヤル５の回転方向も検出することができる。
【００５１】
なお、フォトインタラプタ８ａと遮光羽５ｅとは、回転操作ダイヤル５の揺動操作によって互いに接触しないように所定のクリアランスをもって配置されている。
【００５２】
図５は、図１に示す回転操作ダイヤル５の回転クリックについて説明するための図である。そして、図５（Ａ）は図１に示す回転操作ダイヤル装置を底面側から見た側面図であり、図５（Ｂ）は回転操作ダイヤルが停止状態である際における図５（Ａ）に示すＢ−Ｂ線に沿った断面図である。また、図５（Ｃ）は回転操作ダイヤルが中間ポジションの状態にある際における図５（Ａ）に示すＢ−Ｂ線に沿った断面図である。
【００５３】
前述ように、回転操作ダイヤル５には裏面側外周縁に沿って連続的に形成された凹凸部（図示の例では凹凸の各々を１２か所）が設置されている。このため、回転操作ダイヤルの外径サイズを維持しつつクリック数、つまり、凹凸部の数を増やした場合に凹部５ｇおよび凸部５ｈが円周方向において接近したとしても、操作感に対する影響を受けにくくしてメリハリのある良好な操作感を得ることができる。
【００５４】
バネ部材１４が回転操作ダイヤル５に組み込まれた状態において、バネ部材１４の両端部に形成されたＵ字形状の湾曲部１４ａは回転操作ダイヤル５の回転中心軸方向から外側に開こうとする方向に反発力を発生させる。よって、図５（Ｂ）に示すように、Ｕ字形状の湾曲部１４ａが凹部５ｇに留まり（当接し）、回転操作ダイヤル５を安定した位置に停止することができる。
【００５５】
なお、この状態においては、遮光羽５ｅはフォトインタラプタ８ａにおける光を遮光しない位置に配置されているので、回転操作ダイヤル５が停止した際におけるフォトインタラプタ８ａの出力は常に一定の状態となる。
【００５６】
回転操作ダイヤル５を回転操作した際には、図５（Ｃ）に示すように、Ｕ字形状の湾曲部１４ａが凸部５ｈに乗り上がる。その後、Ｕ字形状の湾曲部１４ａが凹部５ｇに落ち込むことによってバネ部材１４が振幅移動してバネとして機能しクリック感を生じる。
【００５７】
なお、この状態では、バネ部材１４の弓なりに湾曲した円弧形状１４ｂ又はＵ字形状部の端部がバネ保持部材１１又は回転操作ダイヤル５に干渉しないように十分なクリアランスが設定されている。
【００５８】
この結果、回転操作ダイヤル５の回転途中において回転操作力にバラツキが発生することなくスムーズな操作を行うことができる。さらに、バネ部材１４による凹凸部の摩耗を軽減させるため、そして、回転操作力を安定させるために、凹凸部の厚み方向の高さはバネ部材１４の厚み方向の高さとほぼ等しくなるように設定される。
【００５９】
ここで、回転操作ダイヤル５の小型化と回転操作力の向上とを両立させるためには、バネ部材１４における振幅移動領域を十分確保する必要がある。
【００６０】
続いて、遮光羽５ｅと凹凸部およびバネ部材１４との関係について説明する。
【００６１】
前述のように、遮光羽５ｅは回転操作ダイヤル５にインサート成形されている。そして、遮光羽５ｅの倒れを抑制するために、遮光羽５ｅの根元部分は樹脂で覆われる。そして、遮光羽５ｅの根元部分を覆う樹脂部に凹凸部を形成するとともに、１つの遮光羽５ｅと隣り合う遮光羽５ｅとの間に凹部５ｇを、そして、遮光羽５ｅと回転中心軸とを結んだ直線上に凸部５ｈを設ける。
【００６２】
さらに、バネ部材１４を、凹凸部を挟んで遮光羽５ｅと逆側（反対側）のスペース（空間）、つまり、回転操作ダイヤル５の回転中心軸側に配置する。ことによって、バネ部材１４を遮光羽５ｅと接触回避することができ、さらに、バネ部材１４の振幅スペースを効率的に十分確保することができる。その結果、回転操作力を向上させることができる。
【００６３】
また、凹部５ｇの頂点同士を結ぶ直径を、遮光羽５ｅ同士を結ぶ直径よりも大きくすることによって、さらにバネ部材１４の振幅スペースを確保することができる。
【００６４】
このように、本発明の実施の形態では、回転操作ダイヤル装置を小型化するとともに、メリハリのある良好な操作感を得てさらに耐久性を超え羽状得させることができる。そして、回転操作ダイヤル装置を低コストで作成することができる。
【００６５】
なお、図示の例では、バネ保持部材１１および揺動部材１２を別体としているが、バネ保持部材１１および揺動部材１２を一体で構成するようにしてもよい。さらに、回転操作ダイヤル５と遮光羽５ｅとをインサート成形によって一体化するようにしたが、回転操作ダイヤル５および遮光羽５ｅを別体として、例えば、接着などによって固定するようにしてもよい。また、回転操作ダイヤル５自体に遮光羽５ｅの形状を形成するようにしてもよい。
【００６６】
図示の例では、回転操作ダイヤル装置がセンター釦７を有する例について説明したが、センター釦７の存在は必須ではなく、センター釦７を備えない回転操作ダイヤル装置においても同様の効果が得られる。また、図示の例では、回転検出部としてフォトインタラプタ８ａを用いるようにしたが、反射型タイプのフォトリフレクタを用いるようにしてもよい。
【００６７】
上述の説明では、電子機器として沈胴式レンズを内蔵するコンパクトデジタルカメラについて説明したが、レンズユニットが着脱可能なデジタル一眼レフカメラ又は撮像装置以外の電子機器に本発明を適用することができる。
【００６８】
以上、本発明の好ましい実施形態について説明したが、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６９】
４  回転操作ダイヤル装置
５  回転操作ダイヤル
５ｅ  遮光羽
５ｇ  凹部
５ｈ  凸部
６  表示板
６ｂ  受け面
６ｄ  固定部
８ａ  フォトインタラプタ
１１  バネ保持部材
【図１】
2020113403.tif 000003
【図２】
2020113403.tif 000004
【図３】
2020113403.tif 000005
【図４】
2020113403.tif 000006
【図５】
2020113403.tif 000007